(57)【要約】【課題】衝撃性および温度変化に強い電気泳動表示装置および電子機器を提供する。【解決手段】本発明の電気泳動表示装置１は、対向して配置された素子基板２及び防湿シート１２と、素子基板２と防湿シート１２との間に配置された電気泳動層３１とを備えた電気泳動表示パネル１０と、素子基板２の電気泳動層３１とは反対側に、接着層５０を介して貼り合わされた表面保護材５２と、防湿シート１２の電気泳動層３１とは反対側に、接着層５０を介して貼り合わされた表面保護材５１と、を備え、表面保護材５２の熱膨張係数は、表面保護材５１の熱膨張係数と略等しくなっている。【選択図】図２
2010186025.tif 000002
【特許請求の範囲】
【請求項１】
対向して配置された第１の基板及び第２の基板と、前記第１の基板と前記第２の基板との間に配置された電気泳動層とを備えた電気泳動表示パネルと、
前記第１の基板の前記電気泳動層とは反対側に、接着層を介して貼り合わされた第１の表面保護材と、
前記第２の基板の前記電気泳動層とは反対側に、接着層を介して貼り合わされた第２の表面保護材と、を備え、
前記第１の表面保護材の熱膨張係数は、前記第２の表面保護材の熱膨張係数と略等しい
ことを特徴とする電気泳動表示装置。
【請求項２】
前記電気泳動表示パネルが前記接着層によって囲まれている
ことを特徴とする請求項１記載の電気泳動表示装置。
【請求項３】
前記第１の表面保護材の材質および板厚は、前記第２の表面保護材の材質および板厚と等しい
ことを特徴とする請求項１または２記載の電気泳動表示装置。
【請求項４】
前記第２の基板は防湿性を有する防湿部材である
ことを特徴とする請求項１ないし３のいずれか一項に記載の電気泳動表示装置。
【請求項５】
前記第２の基板と前記電気泳動層との間に、前記電気泳動層を支持する第３の基板を有し、
前記第１の基板及び前記第２の基板は、前記第３の基板よりも外側に張り出しており、
前記第１の基板と前記第２の基板とを、前記第１の基板の外周において接続する枠部材を備え、
前記電気泳動層は、前記第１の基板、前記第２の基板、及び前記枠部材によって封止されている
ことを特徴とする請求項４記載の電気泳動表示装置。
【請求項６】
前記第１の基板、前記第１の表面保護材の厚さの合計は、前記第２の基板、前記第３の基板、前記第２の表面保護材の厚さの合計と等しい
ことを特徴とする請求項５に記載の電気泳動表示装置。
【請求項７】
前記第１の基板、前記第２の基板、及び前記枠部材に囲まれた領域のうち、前記電気泳動層及び前記第３の基板を除く領域に樹脂が配置されている
ことを特徴とする請求項５または６記載の電気泳動表示装置。
【請求項８】
前記第１の表面保護材及び前記第２の表面保護材が前記電気泳動表示パネルよりも外側に張り出しており、
前記電気泳動表示パネルの外周側の前記第１の表面保護材と前記第２の表面保護材との間に前記接着層が設けられている
ことを特徴とする請求項１ないし７のいずれか一項に記載の電気泳動表示装置。
【請求項９】
請求項１から８のいずれか一項に記載の電気泳動表示装置を備えた
ことを特徴とする電子機器。
【発明の詳細な説明】
【技術分野】
【０００１】
本発明は、特に表示媒体実装分野における薄型電子ペーパーとして用いて好適な電気泳動表示装置および電子機器に関する。
【背景技術】
【０００２】
液晶表示デバイスに代表される平面表示装置は、薄型、軽量、低消費電力などの特徴を生かしてＯＡ機器、情報端末、時計、テレビ等の各分野に利用されている。現在、携帯電話をはじめとするこれらの液晶表示デバイスには、より薄く、より軽く、且つ丈夫であることが要求されている。
【０００３】
一方、カラー表示や動画表示という点において液晶表示デバイスには劣るものの、薄さ、軽さ及び低消費電力を実現し得る表示体として、電気泳動ディスプレイ（Electrophoretic Display：ＥＰＤ）が注目されている。この電気泳動ディスプレイ（以下、ＥＰＤという）は、紙に近い性質を有しており、読むことを目的とした「電子ペーパー」として開発が進められている。
【０００４】
代表的な電子ペーパーであるマイクロカプセル型ＥＰＤは、ガラスなどからなる素子基板の表示領域に電気泳動シートが貼り付けられた構成になっている。そして、電気泳動シートは透明基板と、透明基板上に設けられた電気泳動層及び電気泳動層上に設けられた接着層を有しており、この接着層が素子基板に貼り付けられた状態になっている。
【０００５】
このような電気泳動シートは薄くて傷が付きやすいため、その全面に一定の間隔をおいて透明な表面保護材を設けた構造が一般的に知られている。表示パネルの耐衝撃性を高める方法として、例えば、表示パネルに対して透明弾性樹脂を介して透明部材を配置した構造、あるいは偏光板の周囲に表示パネルより外側に延長された延長部を設け、この延長部を筐体の支持部に挟持させた構造（特許文献１）や、液晶パネルと偏光板との間に透明弾性体を介在させた構造（特許文献２）などが提案されている。さらに、基板フィルムの表面に直接、あるいは緩衝層を介してハードコート層を積層し、表面硬度を高めた表面保護シート（特許文献３，４）、液晶表示用光学フィルムの表面に下塗り層を介してガラス割れ防止粘着層が設けられ、その上に表面処理フィルムが設けられてなるガラス割れ防止積層体（特許文献５）、透明ポリマーからなる剛性層の下側にアクリル系粘着層からなる緩和層が密着してなる積層シート（特許文献６）などが知られている。
【先行技術文献】
【特許文献】
【０００６】
【特許文献１】特開平１１−１７４４１７号公報
【特許文献２】特開２０００−２８４２７０号公報
【特許文献３】特開平１１−３００８７３号公報
【特許文献４】特開２０００−３２６４４７号公報
【特許文献５】特開２００５−１７３４６２号公報
【特許文献６】特開２００５−１７９４８１号公報
【発明の概要】
【発明が解決しようとする課題】
【０００７】
ところが、上述のように電気光学表示パネルはガラス基板を用いて構成されており、表示面側のみに表面保護材として樹脂基板を設けた場合には、ガラスの膨張係数と樹脂基板の膨張係数との違いから高温下（約５０℃以上）において表面保護板のみが膨張してしまうことを避けられず、表示パネルに反りなどの変形が生じてしまう。これが要因となって表示パネルが破壊に至る可能性もあることから、このような不具合をコントロールする構造が望まれている。
【０００８】
本発明は、上記従来技術の問題点に鑑み成されたものであって、耐衝撃性および温度変化に強い電気泳動表示装置および電子機器を提供することを目的としている。
【課題を解決するための手段】
【０００９】
本発明の電気泳動表示装置は、上記課題を解決するために、対向して配置された第１の基板及び第２の基板と、第１の基板と第２の基板との間に配置された電気泳動層とを備えた電気泳動表示パネルと、第１の基板の電気泳動層とは反対側に、接着層を介して貼り合わされた第１の表面保護材と、第２の基板の電気泳動層とは反対側に、接着層を介して貼り合わされた第２の表面保護材と、を備え、第１の表面保護材の熱膨張係数は、第２の表面保護材の熱膨張係数と略等しいことを特徴とする。
【００１０】
本発明によれば、電気泳動表示パネルの両側に接着層を介して熱膨張係数が略等しい第１の表面保護材及び第２の表面保護部材が設けられていることから、温度変化の大きい環境下においても電気泳動表示パネルの反り等の変形を防止することができる。これにより、電気泳動表示パネルの破壊を回避することができ、信頼性を高めることができる。また、一対の表面保護材によって電気泳動表示パネルの表裏が保護されることとなり、耐衝撃性が向上する。
【００１１】
また、電気泳動表示パネルが接着層によって囲まれていることが好ましい。
本発明によれば、電気泳動表示パネルが接着層によって囲まれているので、温度や湿度などの環境が変化する場合においても劣化しない防湿性の高い構造とすることができる。
【００１２】
また、第１の表面保護材の材質および板厚は、第２の表面保護材の材質および板厚と等しいことが好ましい。
本発明によれば、高温環境下において、第１の表面保護材と第２の表面保護部材とが略同じ割合で膨張することとなり、電気泳動表示パネルに反り等の変形が生じるのを防止することができる。
【００１３】
また、第２の基板は防湿性を有する防湿部材であることが好ましい。
本発明によれば、電気泳動層に対する防湿性を高めることができる。
【００１４】
また、第２の基板と電気泳動層との間に、電気泳動層を支持する第３の基板を有し、第１の基板及び第２の基板は、第３の基板よりも外側に張り出しており、第１の基板と第２の基板とを、第１の基板の外周において接続する枠部材を備え、電気泳動層は、第１の基板、第２の基板、及び枠部材によって封止されていることが好ましい。
本発明によれば、第１の基板、第２の基板、及び枠部材によって電気泳動層が封止された構成とされるので、電気泳動層に対する防湿性をさらに高めることができる。
【００１５】
また、第１の基板、第１の表面保護材の厚さの合計は、第２の基板、第３の基板、第２の表面保護材の厚さの合計と等しいことが好ましい。
本発明によれば、電気泳動層を挟む基板の厚さの合計が等しくなるため、温度が変化した際に電気泳動層に生じる反りや変形をより効果的に防止することができる。
【００１６】
また、第１の基板、第２の基板、及び枠部材に囲まれた領域のうち、電気泳動層及び第３の基板を除く領域に樹脂が配置されていることが好ましい。
本発明によれば、樹脂によって電気泳動層が封止された状態となるため、防湿性がより一層向上することとなる。
【００１７】
また、第１の表面保護材及び第２の表面保護材が電気泳動表示パネルよりも外側に張り出しており、電気泳動表示パネルの外周側の第１の表面保護材と第２の表面保護材との間に接着層が設けられていることが好ましい。
本発明によれば、電気泳動表示パネルの外周側の耐衝撃性が向上するとともに、温度や湿度などの周囲の環境が変化する場合においても劣化しない、より防湿性の高い構造とすることができる。
【００１８】
本発明の電子機器は、先に記載の電気泳動表示装置を備えたことを特徴とする。
本発明によれば、信頼性の高い電気泳動表示装置を備えているので、電子機器における信頼性も高められる。
【図面の簡単な説明】
【００１９】
【図１】第１実施形態の電気泳動表示装置の構成を示す平面図。
【図２】図１のＡ−Ａ断面図。
【図３】第２実施形態の電気泳動表示装置の構成を示す断面図。
【図４】電子ペーパーの斜視図。
【図５】電子ノートの斜視図。
【発明を実施するための形態】
【００２０】
以下、図面を参照して本発明の各実施の形態を説明する。
（第１実施形態）
図１は、本実施形態に係る電気泳動表示装置１の概略構成を示す平面図である。図２は、図１におけるＡ−Ａ断面に沿った構成を示す図である。
図１及び図２に示すように、電気泳動表示装置１は、電気泳動表示パネル１０、枠部材１４および一対の表面保護材５１，５２を備えており、これら表面保護材５１，５２が電気泳動表示パネル１０を挟み込むようにしてその両側に接着層５０を介して設けられている。表面保護材５２が第１の表面保護材に対応し、表面保護材５１が第２の表面保護材に対応する。
【００２１】
電気泳動表示パネル１０は、素子基板２（第１の基板）と、防湿シート１２（防湿部材、第２の基板）と、素子基板２及び防湿シート１２の間に配置された電気泳動シート３とを有している。素子基板２の表面に電気泳動シート３が貼り付けられた構成になっている。
電気泳動表示パネル１０には静止画や動画等の画像を表示する表示領域５が設けられている。表示領域５内にはマトリクス状に配列された複数の画素が設けられており、画素ごとに表示が行われるようになっている。表示領域５の周囲の領域は、画像が表示されない非表示領域６となっている。この非表示領域６には画素が設けられておらず、駆動回路素子２２及び２３、端子２４などが設けられている。
【００２２】
素子基板２は、基材２０と、基材２０上に形成された画素電極２５及びスイッチング素子２６などを含む駆動層２１を有している。基材２０としては、例えばガラス基板、石英基板、シリコン基板、ガリウム砒素基板などの無機基板や、ポリイミド、ポリエチレンテレフタレート（ＰＥＴ）、ポリエチレンナフタレート（ＰＥＮ）、ポリメチルメタクリレート（ＰＭＭＡ）、ポリカーボネート（ＰＣ）、ポリエーテルスルホン（ＰＥＳ）、芳香族ポリエステル（液晶ポリマー）等で構成されるプラスチック基板（樹脂基板）などを用いることができる。
【００２３】
駆動層２１は、基材２０のうち表示領域５に対応する領域に形成されている。この駆動層２１には各画素に設けられる画素電極２５やスイッチング素子２６、スイッチング素子２６に接続される不図示のデータ線及び走査線などが形成されている。平面的な駆動層２１の形成領域は、表示領域５と略一致しており、駆動回路素子２２及び２３はこの駆動層２１の周縁部（非表示領域６）に設けられている。これら駆動回路素子２２及び２３はデータ線や走査線に電気的に接続されており、駆動層２１に信号を供給するようになっている。
【００２４】
端子２４は、素子基板２の端部（図中では右端）に複数設けられており、素子基板２上に形成されている図示しない配線によって駆動回路素子２２及び２３に接続されている。この端子２４は、外部回路基板（不図示）に接続されている。
【００２５】
電気泳動シート３は、透明基板３０（第３の基板）、共通電極３５、電気泳動層３１及び接着層３３を有している。
透明基板３０は電気泳動層３１を保持する基板であり、例えばポリエチレンテレフタレート（ＰＥＴ）、ポリエーテルスルホン（ＰＥＳ）、ポリカーボネイト（ＰＣ）など光透過性の高い材料からなる矩形の基板である。透明基板３０の表面３０ａ側は電気泳動表示装置１の表示面側になっている。
【００２６】
共通電極３５は、透明基板３０の内面３０ｂにはほぼ全面に形成されている。この共通電極３５は例えばＩＴＯなどの光透過性の高い導電材料で構成されており、上下導通材９によって素子基板２に接続されている。
【００２７】
電気泳動層３１は複数のマイクロカプセル３２を有している。
マイクロカプセル３２は電気泳動分散液が封入された略球状のカプセルであり、各カプセルの直径はほぼ同一（５０μｍ〜１００μｍ）になっている。マイクロカプセル３２のカプセル壁膜を形成する材料としては、アラビアガム・ゼラチンの複合膜、ウレタン樹脂、ウレア樹脂、尿素樹脂などの化合物が挙げられる。マイクロカプセル３２に封入された電気泳動分散液は、複数の電気泳動粒子と、これら複数の電気泳動粒子を分散させるための液層分散媒とからなる。
【００２８】
液層分散媒としては、水やアルコール系溶媒、各種エステル類、ケトン類、脂肪族炭化水素、脂環式炭化水素、芳香族炭化水素、ハロゲン化炭化水素、カルボン酸塩又はその他の種々の油類等の単独、またはこれらの混合物に界面活性剤等を配合したものを用いることができる。
【００２９】
電気泳動粒子としては、液相分散媒中で電位差による電気泳動により移動する性質を有する有機あるいは無機の粒子（高分子あるいはコロイド）を用いることができる。具体的には、カーボンブラック、アニリンブラック等の黒色顔料、二酸化チタン等の白色顔料、モノアゾのアゾ系顔料、イソインドリノン等の黄色顔料、モノアゾのアゾ系顔料、キナクリドンレッド等の赤色顔料、フタロシアニンブルー等の青色顔料、フタロシアニングリーン等の緑色顔料等の１種又は２種以上を用いることができる。これらの顔料には、必要に応じ、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等を添加することができる。
【００３０】
マイクロカプセル３２には、例えば白色顔料である二酸化チタンと黒色顔料であるカーボンブラックとの二種類の電気泳動粒子が封入されており、一方が負に、他方が正に帯電されている。勿論他の電気泳動粒子を用いても構わないし、電気泳動粒子を一種類のみ用い、これを共通電極側、あるいは画素電極側に泳動させることで表示可能となるように構成しても構わない。
【００３１】
接着層３３は、バインダを兼ねた熱硬化タイプの接着剤である。接着層３３としては、マイクロカプセル３２のカプセル壁膜に対する親和性が良好で、共通電極および画素電極に対する接着性に優れ、かつ絶縁性の良い接着剤であることが好ましい。また、熱硬化タイプではあるが、硬化後も弾性がある接着剤が好ましい。
【００３２】
防湿シート１２は、平面視で素子基板２と重なる領域を含むように設けられている。この防湿シート１２は、例えばポリエチレンテレフタレート（ＰＥＴ）やポリエチレンナフタレートなどの光透過可能なフィルムの表面に無機バリア層を形成したものなどによって構成されており、電気泳動表示装置１の表示面側に配置されるため光透過性が高くなるように形成されている。
【００３３】
具体的には、防湿、透明性に優れたフッ素樹脂や、PCTFE（ポリクロロトリフルオロエチレン(Poly Chloro Tri Furuoro Ethylene),三フッ化エチレン樹脂）などを用いることができる。本実施形態では、ＰＥＴを基材とした防湿シートを用いた。この防湿シート１２は例えば０．５ｍｍ程度の厚さを有しており、電気泳動シート３の透明基板３０に比べて高い防湿性を有している。
【００３４】
枠部材１４は、透明基板３０よりも外側に張り出した素子基板２の張出領域上に設けられており、電気泳動シート３の周りを囲うように枠状を呈し、防湿シート１２と素子基板２とで挟まれるように配置されている。この枠部材１４は例えばアクリル系樹脂やＰＥＴなどの有機材料によって構成されており、防湿シート１２及び素子基板２の周縁部にそれぞれ密着していると共に周縁部をそれぞれ固定した状態になっている。固定状態については、枠部材１４と防湿シート１２及び素子基板２との間を防湿性の高い材料を含んだ接着剤からなる封止層１５によって固定してある。なお、これら各部材をレーザー溶着によって固定させても良い。
【００３５】
電気泳動層３１は、素子基板２と透明基板３０とで挟持されているとともに、防湿シート１２、枠部材１４よって封止されている。電気泳動層３１は水分を嫌うため、このように防湿構造を採用することにより、電気泳動層３１への水分の浸入を確実に防止している。また、枠部材１４を素子基板２上に設けることで、電気泳動表示パネル１０の厚みが増加するのを防止した構成になっている。
【００３６】
また、図１および図２に示すように、素子基板２、防湿シート１２、及び枠部材１４に囲まれた領域のうち、電気泳動シート３を除く領域に電気泳動表示パネル１０と枠部材１４と防湿シート１２との間に形成される空間には光学接着剤からなる接着層５５が配置されている。接着層５５によって電気泳動シート３をモールドすることにより、良好な視認性を確保しつつ防湿効果をさらに向上させることとなっている。
【００３７】
表面保護材５１，５２は、電気泳動表示パネル１０と重なる位置に設けられており、電気泳動表示パネル１０を挟持するように設けられている。
表面保護材５１は、電気泳動表示パネル１０の前面（視認側）に設けられ、防湿シート１２の表面に接着層５０を介して貼り合わされている。また、表面保護材５２は、電気泳動表示パネル１０の裏面側に設けられ、素子基板２の表面に同じく接着層５０を介して貼り合わされている。
【００３８】
表面保護材５１，５２は、熱膨張係数が略等しくなるように構成されたもので、同じ材質からなり板厚等の形状も同じとされた同一部材により形成されている。板材としては、光透過性が高く、平坦度が優れ、キズつきにくい材料が適しており、アクリル系の板材や強化ガラス等を用いることができる。また、表面保護材５１，５２の板厚は、素子基板２の厚みを勘案して設定され、例えば強化ガラスを採用した場合には素子基板２の厚みを薄くすることで軽量化を図った構成とされる。
【００３９】
また、表面保護材５１，５２は、素子基板２及び防湿シート１２よりも外側に張り出す大きさで形成されており、電気泳動表示パネル１０の外周側の表面保護材５１，５２間に接着層５０が設けられている。つまり、これら表面保護材５１，５２を貼り合わせるための接着層５０により電気泳動表示パネル１０の周囲が包み込まれた状態とされているので、防湿シート１２、枠部材１４および素子基板２の接続界面からの水分等の侵入を阻止することが可能となり、これらをむき出しにした状態と比べて高い防湿効果を有する構成になっている。
【００４０】
接着層５０としては、透明率が高い光学接着剤であって防湿性を有する材料を含んだものが好ましい。
【００４１】
次に、上記のように構成された電気泳動表示装置１の動作を簡単に説明する。
画素電極２５と共通電極３５との間に共通電極３５の電圧が相対的に高くなるように電圧を印加すると、正に帯電された黒色の電気泳動粒子はクーロン力によってマイクロカプセル３２内のうち画素電極２５側に引き寄せられる。一方、負に帯電された白色の電気泳動粒子はクーロン力によってマイクロカプセル３２内の共通電極３５側に引き寄せられる。この結果、マイクロカプセル３２内の透明基板３０側には白色の電気泳動粒子が集まることになり、電気泳動表示装置１の表示領域５にはこの白色の電気泳動粒子の色（白色）が表示されることとなる。
【００４２】
逆に、画素電極２５と共通電極３５との間に画素電極２５の電位が相対的に高くなるように電圧を印加すると、負に帯電された白色の電気泳動粒子はクーロン力によって画素電極２５側に引き寄せられる。一方、正に帯電された黒色の電気泳動粒子はクーロン力によって共通電極３５側に引き寄せられる。この結果、マイクロカプセル３２内の透明基板３０側には黒色の電気泳動粒子が集まることになり、電気泳動表示装置１の表示領域５には黒色の電気泳動粒子の色（黒色）が表示されることとなる。
【００４３】
本実施形態では、電気泳動表示パネル１０の表裏に接着層５０を介して表面保護材５１，５２を設けることとした。これら表面保護材５１，５２は互いの熱膨張係数が等しいことから、高温環境下でもデバイス自体に反りが発生することもなく、デバイスの破壊を回避することが可能になる。従来は、デバイスの片面（表示面）側だけにアクリル製の表面保護材を配置していたため、素子基板（ガラス基板）との熱膨張係数の違いにより高温環境下で表面保護材のみ膨張することが避けられず、素子基板から電気泳動シートが剥がれるなどして電気泳動表示パネルが破壊に至るおそれがあった。このため本実施形態のように、デバイスの表面だけでなく裏面側にも上記表面保護材５１，５２を配置することにより温度変化が大きい車内等に放置した場合でも、熱膨張率の等しい表面保護材５１，５２は、互いに平行を保ったまま面方向にのみ変形することから、表示パネルに反りなどの変形が生じにくくなる。このように、温度変化に対応することが可能になり、信頼性を高めることができる。
【００４４】
また、デバイスの表示面側だけでなく裏面側からの衝撃にも有効であるため、耐衝撃性についてもさらに高めることが可能になる。
【００４５】
さらに、素子基板２、防湿シート１２および枠部材１４によって電気泳動シート３が封止されているとともに、電気泳動シート３とこれら各部材との間の空間には接着層５５が配置された防湿構造とされている。加えて、このような構造の電気泳動表示パネル１０の周囲は表面保護材５１，５２と接着層５０とによって封止された構成とされている。このように、本実施形態では、２重の防湿構造がとられており、防湿性についてもより一層優れた電気泳動表示装置１が得られる。
【００４６】
（第２実施形態）
次に、本発明の第２実施形態の電気泳動表示装置について説明する。図３は、第２実施形態の電気泳動表示装置の概略構成を示す断面図である。以下の説明では、先の実施形態と異なる構造について詳しく説明し、共通な箇所の説明は省略する。また、説明に用いる各図面において、図１および図２と共通の構成要素には同一の符号を付すものとする。
【００４７】
図３に示すように、本実施形態の電気泳動表示装置６０は、電気泳動表示パネル１０の両側を挟み込むようにして、平面視における大きさが素子基板２および防湿シート１２と等しい板材からなる一対の表面保護材６１，６２が設けられている。表面保護材６１（第２の表面保護材）は、電気泳動表示パネル１０の前面側であって防湿シート１２の表面に接着層６３Ａを介して接着され、表面保護材６２（第１の表面保護材）は、電気泳動表示パネル１０の裏面側であって素子基板２の表面に接着層６３Ｂを介して接着されている。表面保護材６１，６２は互いの熱膨張係数が等しくなるように構成されており、材質および板厚等の形状がそれぞれ等しいアクリル系の板材を用いている。
なお、表示面側の接着層６３Ａは視認性を考慮して光学接着剤を用いる必要があるが、裏面側の接着層６３Ｂは光学接着剤に限らず、他の接着剤を用いても構わない。
また、透明基板３０と防湿シート１２との間には、エアギャップをなくすことで、モアレ等の発生を防止して視認性を良好にするための接着層６４が設けられている。
【００４８】
本実施形態では、表面保護材６１，６２の周縁部が素子基板２よりも外側に張り出すことなく、それらの側周面と素子基板２および防湿シート１２の側周面とをそれぞれ一致させた構成とされているので、温度変化に対応できるだけでなくデバイス自体を小型化することが可能である。
また、既述したように電気泳動表示パネル１０の透明基板３０側には接着層６４が設けられていることから、電気泳動表示パネル１０の透明基板３０側の防湿性を高めることができる。
さらに、電気泳動シート３と枠部材１４との間には何も充填されていない空間が設けられている。本実施形態では、この空間が空気層（エアギャップ）となっていることにより、電気泳動表示装置６０の耐衝撃性をさらに向上させることとなっている。
【００４９】
［電子機器］
次に、本発明の電気泳動表示装置を備えた電子機器について説明する。
図４は、電子ペーパー５００（電子機器）を示す斜視図である。
電子ペーパー５００は、本発明の電気泳動表示装置を表示手段５０１として備えている。電子ペーパー５００は可撓性を有し、従来の紙と同様の質感及び柔軟性を有する書き換え可能なシートからなる本体５０２を備えて構成されている。
【００５０】
図５は、電子ノート６００（電子機器）を示す斜視図である。
電子ノート６００は、図４に示した電子ペーパー５００が複数枚束ねられ、カバー６０１に挟まれているものである。カバー６０１は、例えば外部の装置から送られる表示データを入力する図示は省略の表示データ入力手段を備える。これにより、その表示データに応じて、電子ペーパーが束ねられた状態のまま、表示内容の変更や更新を行うことができる。
【００５１】
電子ペーパー５００、及び電子ノート６００は、本発明の電気泳動表示装置を備えたことで、低消費電力であり、かつ信頼性に優れた表示手段を備えたものとなっている。
なお、本発明の電気泳動表示装置は、上記に例示した電子機器に限らず、例えば携帯電話、携帯用オーディオ機器などの表示手段として用いることができ、いずれの電子機器においても、低消費電力で信頼性に優れた表示手段として機能する。
【００５２】
以上、添付図面を参照しながら本発明に係る好適な実施形態について説明したが、本発明は係る例に限定されることなく、各実施形態を組み合わせても良い。当業者であれば、特許請求の範囲に記載された技術的思想の範疇内において、各種の変更例または修正例に想到し得ることは明らかであり、それらについても当然に本発明の技術的範囲に属するものと了解される。
【００５３】
例えば、上記実施形態においては、素子基板２、表面保護材５２（６２）の厚さの合計が、防湿シート１２、透明基板３０、表面保護材５１（６１）の厚さの合計と等しい構成としてもよい。このようにすれば、電気泳動層３１を挟む基板の厚さの合計が表側、裏側で等しくなるため、温度が変化した際に電気泳動層３１に生じる反りや変形をより効果的に防止することができる。
【００５４】
また、電気泳動シート３に含まれる透明基板３０を省略してもよい。例えば、防湿シート１２をガラスにより構成し、防湿シート１２の素子基板２側に共通電極３５、電気泳動層３１をこの順に配置するようにしてもよい。
【００５５】
また、上記実施形態においては、画素電極２５およびスイッチング素子２６を備えた素子基板２を有する構成としたが、パッシブ型の電気泳動装置としても構わない。
【符号の説明】
【００５６】
１…電気泳動表示装置、２…素子基板（第１の基板）、３…電気泳動シート、５…表示領域、１０…電気泳動表示パネル、１２…防湿シート（防湿部材、第２の基板）、３０…透明基板（第３の基板）、３１…電気泳動層、５０，５５，６３，６４…接着層、２６…スイッチング素子、２５…画素電極、５１，６１…表面保護材（第２の表面保護材）、５２，６２…表面保護材（第１の表面保護材）、５００…電子ペーパー、６００…電子ノート
【図１】
2010186025.tif 000003
【図２】
2010186025.tif 000004
【図３】
2010186025.tif 000005
【図４】
2010186025.tif 000006
【図５】
2010186025.tif 000007